(57)【要約】後締め式ドリルチャックにおいて、チャック軸(５)に共軸のリング状歯切部(６)及び係止ラッチ(８)からなるインタロック機構(９)は、係止ラッチ(８)がリング状歯切部(６)に差し込まれた際、締め付け解除方向の回転を防ぐが、締め付ける方向での回転を許容する。つかみあご保持体(３)及び締め付けテーパー体(２)に、突き当てストッパ及びカウンタストッパ(１１)がそれぞれ設けられ、相対回転可能な範囲は、係止ラッチ(８)が押し込まれた第１回転位置と、外れ出た第２回転位置との間に制限される。第１及び第２の回転位置のそれぞれのための２つ係止用受入れ部(１３)を有する係止機構(１２)が、つかみあご保持体(３)と前記締め付けテーパー体(２)との間に設けられ、締め付けテーパー体(２)を締付ける回転方向にて、所定の締付け力に達した後に始めて上記の回転を許容する。【選択図】図１
2008536700.tif 000002
【特許請求の範囲】
【請求項１】
チャック躯幹体(１)と、チャック躯幹体(１)に共軸に回転可能な締め付けテーパー体(２)と、チャック躯幹体(１)から軸方向に支持されたつかみあご保持体(３)と、
つかみあご保持体(３)中の複数の案内スリット(６)中に案内されて、チャック躯幹体(１)とつかみあご保持体(３)及び締め付けテーパー体(２)との相互の回転よって締め付け及びその解除を行うべく位置・姿勢をシフト可能な複数のつかみあご(４)と、
一方の側に、チャック軸(５)に共軸のリング状歯切部(６)を備え、他方の側に、つかみあご保持体(３)に取付けられ、バネ力を受けた際にリング状歯切部(６)に噛み合う係止ラッチ(８)を備えたインタロック機構(９)とからなり、
インタロック機構(９)は、係止ラッチ(８)がリング状歯切部(６)に差し込まれた際に、つかみあご(４)のによる締め付けを解除する方向での相対運動を防ぐが、締め付ける方向での相対運動を許容するドリルチャックにおいて、
つかみあご保持体(３)には突き当てストッパが設けられ、締め付けテーパー体(２)にはカウンタストッパ(１１)が設けられ、つかみあご保持体(３)に対する締め付けテーパー体(２)の相対回転可能な範囲が、係止ラッチ(８)が押し込まれた状態に相当する第１の回転位置と、外れ出た状態に相当する第２の回転位置との間である所定の範囲に制限され、
前記第１の回転位置に割り当てられた係止用受入れ部(１３)と、前記第２の回転位置に割り当てられた係止用受入れ部(１３)とを有する係止機構(１２)が、つかみあご保持体(３)と前記締め付けテーパー体(２)との間に設けられ、係止機構(１２)は、少なくとも、締め付けテーパー体(２)を締付ける回転方向にて、所定の締付け力に達した後に始めて、前記つかみあご保持体(３)に対する前記締め付けテーパー体(２)の回転を許容することを特徴とする後締め式ドリルチャック。
【請求項２】
締め付けテーパー体(２)に切替カム面(１４)が備えられ、切替カム面(１４)は、締め付けテーパー体(２)がつかみあご(４)の締付けを解除する向きに回転する際に、係止ラッチ(８)を、リング状歯切部(６)に差し込まれた位置・姿勢から、外れ出た位置・姿勢へとシフトさせることを特徴とする請求項１に記載のドリルチャック。
【請求項３】
係止ラッチ(８)は、少なくとも１つの係止歯(１５)を有する第１のレバーアームと、切替カム面(１４)に当接するように設けられた第２のレバーアームとを有する２アーム型レバーとして設けられたことを特徴とする請求項２に記載のドリルチャック。
【請求項４】
前記バネ(７)は、係止歯(１５)を有する第１のレバーアームにバネ力を加えることを特徴とする請求項３に記載のドリルチャック。
【請求項５】
前記バネ(７)は、バネ用カム面(１６)によって、係止ラッチ(８)にバネ力を加える位置・姿勢から、係止ラッチ(８)から外れ出た位置・姿勢へと振れ動くことを特徴とする請求項３または４に記載のドリルチャック。
【請求項６】
締め付けテーパー体(２)が、係止ラッチ(８)の位置・姿勢をシフトさせるのに用いられる解除リングと別体に設けられることを特徴とする請求項１〜５のいずれかに記載のドリルチャック。
【請求項７】
リング状歯切部(６)がチャック躯幹体(１)に設けられることを特徴とする請求項１〜６のいずれかに記載のドリルチャック。
【請求項８】
係止ラッチ(８)と前記バネ(７)とは、一体的に形成されることを特徴とする請求項１〜７のいずれかに記載のドリルチャック。
【請求項９】
前記バネ(７)は、締め付けテーパー体(２)に取り付けられたことを特徴とする請求項８に記載のドリルチャック。
【請求項１０】
リング状歯切部(６)が締め付けテーパー体(２)に設けられることを特徴とする請求項１〜６のいずれかに記載のドリルチャック。
【請求項１１】
つかみあご保持体(３)に切替カム面(１４)が設けられることを特徴とする請求項８〜１０のいずれかに記載のドリルチャック。
【請求項１２】
解除リング(２９)が金属からなることを特徴とする請求項６〜１１のいずれかに記載のドリルチャック。
【請求項１３】
解除リング(２９)が、合成樹脂、またはその他の射出成形可能な材料からなることを特徴とする請求項６〜１１のいずれかに記載のドリルチャック。
【請求項１４】
締め付けテーパー体(２)が金属からなることを特徴とする請求項６〜１３のいずれかに記載のドリルチャック。
【請求項１５】
締め付けテーパー体(２)が、合成樹脂、またはその他の射出成形可能な材料からなることを特徴とする、請求項６〜１３のいずれかに記載のドリルチャック。
【請求項１６】
締め付けテーパー体(２)と解除リング(２９)とが、トルクを伝達するように、円周方向にて嵌合により接続されることを特徴とする請求項６〜１５のいずれかに記載のドリルチャック。
【請求項１７】
解除リング(２９)と締め付けテーパー体(２)との間には、円周方向に作動する、スリット・バネ接続が形成されることを特徴とする請求項１６に記載のドリルチャック。
【請求項１８】
つかみあご保持体(３)は、案内スリットを有する保持テーパー体(２２)とストッパを有するストッパ部材(２３)との２つの部材から形成されることを特徴とする請求項１〜１７のいずれかに記載のドリルチャック。
【請求項１９】
保持締め付けテーパー体(２２)とストッパ部材(２３)とが、回転トルクを伝達するように、嵌合により接続されていることを特徴とする請求項１８に記載のドリルチャック。
【請求項２０】
保持締め付けテーパー体(２２)とストッパ部材(２３)との間には、円周方向に作用するスリット・バネ接続が形成されることを特徴とする請求項１９に記載のドリルチャック。
【請求項２１】
保持締め付けテーパー体(２２)が、合成樹脂、またはその他の射出成形可能な材料からなることを特徴とする請求項１８〜２０のいずれかに記載のドリルチャック。
【請求項２２】
つかみあご(４)とは逆側の、チャック躯幹体(１)の軸方向後方端部には、保持リング(２４)が回転不能に取り付けられ、保持リング(２４)には、軸方向前方へと突き出るリング状カラー部分(２５)が備えられ、このリング状カラー部分にリング状歯切部(６)が設けられていることを特徴とする請求項１〜６のいずれかに記載のドリルチャック。
【請求項２３】
リング状歯切部(６)は、リング状カラー部分(２５)の内周面に設けられ、締め付けテーパー体(２)の軸方向後方端部に、テーパー体カラー部分(２６)が形成され、このテーパー体カラー部分(２６)は、リング状カラー部分(２５)の内側に位置し、かつ、係止ラッチ(８)の箇所を省いた開口部(２７)を有することを特徴とする請求項２２に記載のドリルチャック。
【請求項２４】
テーパー体カラー部分(２６)に、係止機構(１２)の係止用受入れ部(１３)が備えられることを特徴とする請求項２３に記載のドリルチャック。
【請求項２５】
係止機構(１２)の係止用受入れ部(１３)に係合するために、つかみあご保持体(３)上に設けられた係止バネ(２８)が割り当てられることを特徴とする請求項１〜２４のいずれかに記載のドリルチャック。
【請求項２６】
係止バネ(２８)が２つ設けられることを特徴とする請求項２５に記載のドリルチャック。
【発明の詳細な説明】
【技術分野】
【０００１】
本発明は、追い締め式のドリルチャックに関する。
【背景技術】
【０００２】
このドリルチャックは、一つのチャック躯幹体と、チャック躯幹体に共軸に回転可能な締め付けテーパー体と、チャック躯幹体に軸方向から支持されるように取付けられ、複数のスリット中にて複数のつかみあごを案内するつかみあご保持体と、インタロック機構とを備える。複数のつかみあごは、チャック躯幹体と、締め付けテーパー体及びかみあご保持体との間の相対的な回転によって締め付けまたはその解除のために位置・姿勢をシフト可能である。インタロック機構は、一方にある、チャック躯幹体に共軸のリング状歯切部と、他方にある、つかみあご保持体に取り付けられた係止ラッチとからなる。インタロック機構は、係止ラッチがリング状歯切部に差し込まれた状態にて、チャック躯幹体及び係止ラッチについて、つかみあごを緩める方向の相対回転を防ぐが、締め付ける方法での相対回転は妨げない。
【０００３】
このような追い締め式のドリルチャックは、ヨーロッパ特許出願公開EP0017748A1により公知となっており、実際の実施により、特にはプロフェッショナルな領域での使用により、優れたものであることが実証されている。しかしながら、このドリルチャックは、操作の際、解除リングと締付け外筒体とが、相互に、正確に所定の位置・姿勢のシフトを行う点で、問題が生じ得ることが確認されている。このような位置・姿勢のシフトは、インタロック機構を有効に用いる上で必要となる。すなわち、ドリルチャックを開くためには、リング状歯切部から係止ラッチが離れ出る位置にまで解除リングを回転させる必要があり、この回転の後に、締付けスリーブを別の回転方向に回転させてつかみあごを開くことができるようになる。ドリルチャックを閉じるためには、締付け外筒体を逆方向へ回転させる必要がある。この際、締付けスリーブとは逆の方向へと、解除リングの位置・姿勢をシフトさせる。解除リングは、一旦得られた締付け力を確保するのに役立つ。
【特許文献１】ヨーロッパ特許出願公開ＥＰ０７１０５１８Ａ
【特許文献２】ヨーロッパ特許出願公開ＥＰ００１７７４８Ａ
【特許文献３】ヨーロッパ特許出願公開ＥＰ０３３５５９３Ａ
【特許文献４】ヨーロッパ特許出願公開ＥＰ１５０４８３６Ａ
【発明の開示】
【発明が解決しようとする課題】
【０００４】
本発明の根底をなす課題は、導入部で述べたような、追い締め式のドリルチャックについて、操作がより容易になるように構成することである。
【課題を解決するための手段】
【０００５】
このような課題は、本発明によると、導入部で述べた技術分野の装置において、以下により解決される。つかみあご保持体にはストッパが、締め付けテーパー体にはカウンタストッパが形成されており、つかみあご保持体に対する締め付けテーパー体の相対回転可能な範囲を、係止ラッチが差し込まれた状態に対応する第１の回転位置と、係止ラッチが離れ出た状態に対応する第２の回転位置との間に、
明確に制限することと、第１の回転位置に割り当てられた係止用受入れ部と第２の回転位置に割り当てられた係止用受入れ部とを有する係止機構がつかみあご保持体と締め付けテーパー体との間に設けられ、この係止機構が少なくとも締付けに相当する締め付けテーパー体の回転方向においてつかみあご保持体に対する締め付けテーパー体の回転を可能にするのは所定の締付け力に達してからであることによって解決される。
【発明の効果】
【０００６】
このようなドリルチャックは以下のような大きな利点を特徴とする。解除リングと締付けスリーブとを別個に設けなくても良い。したがって、解除リング及び締付けスリーブの位置・姿勢のシフトを、別個に行う必要がない。このようなことは、つかみあご保持体が締め付けテーパー体に対して、適当な範囲内に限って回転を行うことで実現される。ここで、締め付けテーパー体は、係止ラッチの締付け状態を切り替えるのに用いられる。その結果、ユーザは締め付けテーパー体を把持して締付け方向または締付け解除方向に回転させるだけでよく、これ以上の操作をしなくても係止ラッチが自動的に所望の作動状態を取ることとなる。
【発明を実施するための最良の形態】
【０００７】
また、ドリルチャックを締付ける際に、係止ラッチがリング状歯切部に永続的に噛み合うのを防止するには、さらに、係止機構が採用される。この係止機構が、つかみあご保持体に対する締め付けテーパー体の相対回転を可能にするのは、所定の締付け力に達してからである。すなわち、通常は、つかみあごが、締付ける工具の軸に当接し、これにより回転抵抗が著しく増大してからである。この回転抵抗は、締め付けテーパー体をさらに回転させた際に、一方の係止用受入れ部からもう一方の係止用受入れ部へのシフトを引き起こさせる。
【０００８】
係止ラッチの位置・姿勢を確実にシフトさせ、これにより高い操作安全性を得るためには、本発明によると、締め付けテーパー体が切替カム面を備えることが想定される。切替カム面は、つかみあごの締付けを解除する回転方向へと締め付けテーパー体を回転させた際に、係止ラッチを、リング状歯切部に差し込まれた位置・姿勢から、離れ出た位置・姿勢へとシフトさせる。このような実施形態により、係止ラッチの振れ動きと、締め付けテーパー体の回転運動とが確実に、一致して行われるようになる。
【０００９】
係止ラッチを、少なくとも１つの係止歯を有する第１のレバーアームと、切替カム面に当接するように定められた第２のレバーアームとを有する２アーム型レバーとして形成するならばさらに有利であることが明らかになった。このようであるならば、簡単に切替カム面とリング状歯切部との間の間隔を克服することができ、レバーのてこの力を受けてリング状歯切部に対する係止歯の十分な押圧を確実に実現できるからである。
【００１０】
この実施形態では、バネが係止歯を有する第１のレバーアームにバネ力を加える。したがって、レバーアームの長さを活用して、リング状歯切部の側へのバネ力の作用が最適化される。
【００１１】
また、バネが、バネ用カム面によって、係止ラッチにバネ力を加える位置・姿勢から、係止ラッチが外れ出た位置・姿勢へと、振れ動くならば特に好ましい。このようであると、こすれ・きしみ音や、打ち叩くような音の騒音が生じないからである。このような騒音は、例えば、圧縮された圧縮バネが、リング状歯切部の側へと、絶えず応力を加える場合に生じる。
【００１２】
また、締め付けテーパー体について、係止ラッチを移動させるのに用いる解除リングと別体に設けるという実施形態を取ることもできる。このような実施形態であると、解除リングの位置・姿勢のシフトを、締め付けテーパー体とは独立に行うという選択肢を取ることが可能になる。
【００１３】
特には製作および組み立てを容易にするために、チャック躯幹体に、リング状歯切部が設けられる。組み立てをさらに容易にするためには、係止ラッチとバネとを一体に設けることも有用である。また、原理上、バネを、締め付けテーパー体に取付けることも可能である。
【００１４】
原理上、締め付けテーパー体にリング状歯切部を設けることもできる。その場合、つかみあご保持体に切替カム面を設ける。
【００１５】
締め付けテーパー体を２部材構成とすることで、構成部材の材料を別々に選択することが可能になる。したがって、解除リングは、金属で構成する他、金属に代えて射出成形可能な材料で、好ましくはプラスチックで構成することができる。
【００１６】
このような選択は、締め付けテーパー体についても可能であり、したがって、締め付けテーパー体は、金属または射出成形可能な材料から構成され、好ましくはプラスチックから構成される。
【００１７】
しかしながら、材料選択に関して有利な別体構成は、機能性を維持する必要がある。そのため、締め付けテーパー体および解除リングは、トルクを伝達するように円周方向にて、嵌合により接続される。このような接続は、解除リングと締め付けテーパー体との間に、円周方向への作動を行うスリット・バネ接続を設けることによって行われる。
【００１８】
つかみあご保持体もまた２つの部材で実現することができ、つかみあご保持体が、案内スリットを有する保持締め付けテーパー体と、ストッパを有するストッパ部材との２つの部材から形成される。ここで、保持締め付けテーパー体とストッパ部材とは、回転トルクを伝達するように、嵌合により接続される。保持締め付けテーパー体とストッパ部材との間には、円周方向に作用するスリット・バネ接続が設けられるからである。
【００１９】
特にはドリルチャックの構造長さを短縮すべく、チャック躯幹体の軸方向後方の端部、すなわち、つかみあごとは反対側の端部に、相対回転不能に保持リングが配置される。この保持リングは、軸方向前方へと突き出るリング状カラー部分を有しており、このリング状カラー部分にはリング状歯切部が形成されている。すなわち、保持リングには２つの機能が割り当てられており、保持リングをチャック躯幹体に回転不能に固定するならば、リング状歯切部が、他の構成部材との立体的なずれなしに配置される。
【００２０】
ここで、リング状歯切部がリング状カラー部分の内周面に形成されており、かつ、締め付けテーパー体の軸方向後方端部には、テーパー体カラー部分が形成されている。このテーパー体カラー部分は、リング状カラー部分の内側に位置し、係止ラッチの箇所を露出させる開口部を有する。したがって、保持リングとチャック躯幹体との間には、十分な接触長さを得るために、係合方向が係止ラッチに適合される。
【００２１】
この場合、テーパー体カラー部分が係止機構の係止用受入れ部を有するならば、すなわち、係止機構と係止機構とが1つの位置平面上で作用するならば有利である。
【００２２】
係止機構の係止用受入れ部への係合のためにつかみあご保持体上に設けられた止めバネが用いられるならば、係止機構は、特に簡単な、したがって、好ましい態様で実現され得る。
【００２３】
係止バネを２重に設けるならば係止機構の信頼性の程度がより高くなる。そのため、2重の係止バネは、高性能のドリリング機械において高負荷および振動が生じる可能性がある場合、特に採用される。
【００２４】
以下に、図面に描かれた実施例について詳細に説明する。
【００２５】
図１に示された追い締め式ドリルチャックは、チャック躯幹体１と、チャック躯幹体１に取り付けられたつかみあご保持体３に軸方向から支持されチャック躯幹体１共軸に回転可能な締め付けテーパー体２とを備える。つかみあご保持体３の案内スリット中には複数のつかみあご４が案内されており、これらつかみあご４は、締付けおよび締付け解除を行うべく、チャック躯幹体１と、締め付けテーパー体２及びつかみあご保持体３との相互回転により位置・姿勢をシフト可能である。このドリルチャックは、インタロック機構９をさらに備える。インタロック機構９は、一方の側に、チャック軸５に共軸のリング状歯切部６を有し、他方の側に、バネ７の力を受けてリング状歯切部６に押し込まれる係止ラッチ８を有する。係止ラッチ８は、つかみあご保持体３に取り付けられている。係止ラッチ８がリング状歯切部６に押し込まれたならば、インタロック機構９は、つかみあご４の締付けを解除する方向でのチャック躯幹体１と係止ラッチ８との相対回転を防ぐが、締付ける方向での相対回転は妨げない。図１には、リング状歯切部６がチャック躯幹体１に設けられた実施形態を示す。
【００２６】
図２Ａおよび図２Ｂから知られるように、つかみあご保持体３には突き当てストッパ１０が設けられ、締め付けテーパー体２にはカウンタストッパ１１が設けられている。これらは、締め付けテーパー体２がつかみあご保持体３に対して相対回転可能な範囲について、係止ラッチ８が押し込まれた状態に対応する第１の回転位置（図２Ａ）と、係止ラッチ８が押し出された状態に対応する第２の回転位置（図２Ｂ）との間である、所定の範囲に制限すする。図３Ａおよび図３Ｂから知られるように、ドリルチャックには、また、係止機構１２が備えられる。係止機構１２は、つかみあご保持体３と締め付けテーパー体２との間の係合部としての、第１の回転位置に割り当てられた係止用受入れ部１３と、第２の回転位置に割り当てられた係止用受入れ部１３とを含む。少なくとも、締め付ける向きの回転において、係止機構１２は、締め付けテーパー体２がつかみあご保持体３に対して回転するのを、所定の締付け力に達したときに、初めて許容する。係止機構１２は、実際の使用時に次のように作動する。ドリルチャックの締付け時に、つかみあご４が工具軸に当接するように案内される。これにより、つかみあご４のさらなる位置・姿勢のシフトに対して、比較的大きい抵抗力が作用する。この抵抗力により、締め付けテーパー体２を回転させるにあたっては、大きい回転トルクを必要とする。そのため、この動作状態では、係止機構１２が、第２の回転位置と第１の回転位置との切り替え時に、係止ラッチ８をリング状歯切部６に差し込んだ状態に保持する。
【００２７】
工具を交換するためにドリルチャックを開くことができるように、係止ラッチ８がリング状歯切部６から外れ出るようにする必要がある。そのため、締め付けテーパー体２には、締め付けテーパー体２がつかみあご４の締付けを解除する向きに回転した際に係止ラッチ８の位置・姿勢をシフトさせるための切替カム面１４が設けられている。切替カム面１４は、第１の回転位置と、第２の回転位置との間の切り替えを行う際、すなわち、係止機構１２が係止用受入れ部１３を切り替える際に作動を行う。
【００２８】
図２Ａおよび図２Ｂから知られるように、係止ラッチ８は、図示の実施例において、２アーム型レバーとして設けられ、２つの係止歯１５を有する第１のレバーアームと、切替カム面１４に当接するように設けられた第２のレバーアームとを有する。ここで、バネ７が第１のレバーアームにバネ力を加える。また、図２Ａおよび図２Ｂから知られるように、バネ７は、バネ用カム面１６によって、係止ラッチ８にバネ力を加える位置・姿勢から、係止ラッチ８との係合から外れた位置・姿勢へと、振れ動く。バネ７の振れ動きは、切替カム面１４の円周方向への延長部分にある、締め付けテーパー体２の抜き部によって行われる。バネ７は、押し込まれたり引き伸ばされたりしない形状を取るようにシフトしようとするから、バネ７の振れ動きが確実に行われる。
【００２９】
図５には変形例を示す。この変形例において、締め付けテーパー体２には、チャック躯幹体の後方端を向く側に、キャップ１７が備えられている。キャップ１７は、チャック躯幹体１の軸方向の後方端部に把持用外筒１８が設けられていない場合に、インタロック機構９と係止機構１２とをケーシング中に包み込むのに用いられる。本変形例では、図６から明らかなように、別の形態の係止機構１２が実現されている。ここで、つかみあご保持体３には、係止凸部２０と組み合わされて作動を行うための、実質上、ギリシャ文字のオメガ（Ω）字状である板バネ１９が配置されている。図７には、係止機構１２のさらに別の実施形態を示す。ここでは、締め付けテーパー体２と、つかみあご保持体３との間に配置された板バネ１９が用いられる。この板バネ１９は、一つのループ２１により、つかみあご保持体３の半径方向の穴に固定されている。この係止機構１２を別の実施形態で示した係止機構１２と組み合わせてもよく、これにより、動作トルクを増大させることができる。
【００３０】
図８Ａおよび図８Ｂには、締め付けテーパー体２にバネ７が取付けられた実施形態を示す。一方、図９Ａおよび図９Ｂには、係止ラッチ８とバネ７とが一体的に設けられ、つかみあご保持体３に切替カム面１４が設けられている実施形態を示す。
【００３１】
図４、図１２及び図１４に示す各変形例において、締め付けテーパー体２は、係止ラッチ８の位置・姿勢のシフトに用いられる一つの解除リング２９と別体に設けられる。この解除リング２９は、容易に加工可能で、かつ複雑な形状に形成可能な材料、特には、合成樹脂などの射出成形可能な材料から低コストで形成することができる。しかし、金属から形成してもよい。
【００３２】
これら変形例は、締め付けテーパー体２が次のようになっているものを含む。締め付けテーパー体２と解除リング２９とが、円周方向に、回転モーメントを伝達するような嵌合により接続されている。例えば、解除リングと締め付けテーパー体２との間に、円周方向への作動を行うスリット・バネ接続が設けられる。
【００３３】
図１１に示す変形例では、つかみあご保持体３が、案内スリットを有する保持テーパー体２２、及び、ストッパを有するストッパ部材２３との２つの部材からなる。ここで、つかみあご保持体３の別体構成は、締め付けテーパー体２の２部材構成と同一の変形実施の可能性を与える。すなわち、材料の選択または材料の組み合わせに関して、同一の変形実施の可能性を与える。保持テーパー体２２およびストッパ部材２３もまた、回転モーメントを伝達するように、嵌合により接続される。ここで、保持テーパー体２２とストッパ部材２３との間には、円周方向に作動を行うスリット・バネ接続が設けられる。
【００３４】
図１２および図１３には、さらに他の変形例を示す。ここで、チャック躯幹体１における軸方向後方端部、すなわち、つかみあご４とは逆側の端部には、保持リング２４が回転方向へ位置ズレ不能に配置されている。保持リング２４は、軸方向前方（先端側）へと突き出すリング状カラー部分２５を有する。リング状カラー部分２５の内周面には、リング状歯切部６が設けられている。また、締め付けテーパー体２の軸方向後方端部には、テーパー体カラー部分２６が形成されている。このテーパー体カラー部分２６は、リング状カラー部分２５の内側に位置し、係止ラッチ８の箇所で省かれてなる開口部２７と、係止機構１２の係止用受入れ部１３とを有する。
【００３５】
図面に示された各実施例のいずれにおいても、係止機構１２の係止用受入れ部１３にかみ合わせるべく、係止用バネ２８が与えられており、これが、つかみあご保持体３に配置されている。図６および図１５の実施例では、係止用バネ２８が２つ備えられている。
【図面の簡単な説明】
【００３６】
【図１】本発明による後締め式ドリルチャックを示し、左側が軸方向の断面図で、右側が側面図である。
【図２Ａ】係止ラッチが押し込まれた状態の第１の回転位置における断面図IIである。
【図２Ｂ】第２の回転位置における、図２Ａに対応する断面図である。
【図３Ａ】第１の回転位置における図１の断面図IIIである。
【図３Ｂ】第２の回転位置における、図３Ａに対応する断面図である。
【図４】締め付けテーパー体が図１と比較して軸方向に延長された解除リングを有し、２つの部材からなる変形例についての、図１に対応する図である。
【図５】把持用外筒を設ける代わりに、締め付けテーパー体が、軸方向後方に向かってチャック躯幹体の軸方向後方端まで延長した、さらに他の変形例についての、図１に対応する図である。
【図６】図５のVI-Vに沿う断面図である。
【図７】図５のVII-VIIに沿う断面図である。
【図８Ａ】バネが締め付けテーパー体に取り付けられた、図２Ａに対応する断面図である。
【図８Ｂ】図８Ａの実施例についての、図２Ｂに対応する断面図である。
【図９Ａ】係止ラッチとバネとが一体に形成された、さらなる変形例についての、図２Ａに対応する断面図である。
【図９Ｂ】図９Ａの実施形態の図２Ｂに対応する断面図である。
【図１０】リング状歯切部が締め付けテーパー体に設けられた変形例についての、図２Ａに対応する断面図である。
【図１１】つかみあご保持体が２つの部材からなる変形例についての、図１に対応する図である。
【図１２】リング状歯切部が他の形態を取る変形例についての、図１に対応する図である。
【図１３ａ】係止ラッチが係合の位置・姿勢にある場合の、図１２のXIII-XIIIに沿う断面図である。
【図１３ｂ】係止ラッチが係合解除位置・姿勢にある場合の、図１２のXIII-XIIIに沿う断面図である。
【図１４】締め付けテーパー体の金属製締付けスリーブを用いる実施形態の図１２に対応する図である。
【図１５ａ】係止ラッチが係合の位置・姿勢にある場合の、図１４のXV-XVに沿う断面図である。
【図１５ｂ】係止ラッチが係合解除の位置・姿勢にある場合の、図１４のXV-XVに沿う断面図である。
【図１５ｃ】２つの係止バネを有する変形例において、係合の位置・姿勢にある場合について示す、図１４のXV-XVに沿う断面図である。
【図１５ｄ】２つの係止バネを有する変形例において、係合解除の位置・姿勢にある場合について示す、図１４のXV-XVに沿う断面図である。
【符号の説明】
【００３７】
１  チャック躯幹体        ２  締付けテーパー体      ３  つかみあご保持体
４  つかみあご            ５  チャック軸            ６  リング状歯切部
７  バネ                  ８  係止ラッチ            ９  インタロック機構
１０  突き当てストッパ    １１  カウンタストッパ    １２  係止機構    
１３  係止用受入れ部      １４  切替カム面          １５  係止歯    
１６  バネ用カム面        １７  キャップ            １８  把持用外筒
１９  板バネ              ２０  係止用受入れ部      ２１  ループ
２２  保持用テーパー体    ２３  ストッパ部材        ２４  保持リング
２５  リング状カラー部分  ２６  テーパー体カラー部分  ２７  開口部
２８  係止用バネ          ２９  解除リング
【図１】
2008536700.tif 000003
【図２Ａ】
2008536700.tif 000004
【図２Ｂ】
2008536700.tif 000005
【図３Ａ】
2008536700.tif 000006
【図３Ｂ】
2008536700.tif 000007
【図４】
2008536700.tif 000008
【図５】
2008536700.tif 000009
【図６】
2008536700.tif 000010
【図７】
2008536700.tif 000011
【図８Ａ】
2008536700.tif 000012
【図８Ｂ】
2008536700.tif 000013
【図９Ａ】
2008536700.tif 000014
【図９Ｂ】
2008536700.tif 000015
【図１０】
2008536700.tif 000016
【図１１】
2008536700.tif 000017
【図１２】
2008536700.tif 000018
【図１３ａ】
2008536700.tif 000019
【図１３ｂ】
2008536700.tif 000020
【図１４】
2008536700.tif 000021
【図１５ａ】
2008536700.tif 000022
【図１５ｂ】
2008536700.tif 000023
【図１５ｃ】
2008536700.tif 000024
【図１５ｄ】
2008536700.tif 000025
【国際調査報告】
2008536700.tif 000026
2008536700.tif 000027
2008536700.tif 000028
2008536700.tif 000029
2008536700.tif 000030
2008536700.tif 000031